(57)【要約】  【課題】  バッチ処理等により得られた多数の分析結果の確認作業を効率よく行うことができるようにする。  【解決手段】  複数の分析結果を示すクロマトグラムやスペクトルの波形画像を一覧表示することにより、波形の異常の有無を容易に目視確認できるようにする。異常のある波形画像に対応するチェックボックスをオンにして所定の操作を行うと、その波形画像に対応する分析の設定データが一覧表示される。この一覧で設定データを適宜変更した後、バッチ処理を再度実行する。【選択図】  図３
2006153628.tif 000002
【特許請求の範囲】
【請求項１】
画像表示の可能な表示部、
波形データを含む分析結果データを保存するための分析情報保存部、
各分析結果データに含まれる波形データから波形画像を生成するための波形画像生成部、及び、
所定の条件を満たす分析結果データに対応する波形画像の一覧を作成し、前記表示部に表示する波形一覧作成部
を備えることを特徴とする分析データ管理装置。
【請求項２】
各分析の分析設定データを保存した分析設定保存部、
前記表示部に一覧表示された波形画像から一又は複数の波形画像をユーザに選択させるための波形画像選択部、及び、
前記一又は複数の波形画像が選択されたときに、選択された波形画像に対応する分析設定データを変更するための画面を表示する分析設定変更部
を更に備えることを特徴とする請求項１記載の分析データ管理装置。
【請求項３】
画像表示の可能な表示部を備えるコンピュータを請求項１又は２記載の分析データ管理装置として動作させることを特徴とする分析データ管理プログラム。
【発明の詳細な説明】
【技術分野】
【０００１】
本発明は、クロマトグラフ、質量分析装置、分光光度計等の分析装置を用いた試料の分析により得られるデータを管理するための分析データ管理装置及び分析データ管理プログラムに関する。
【背景技術】
【０００２】
従来より、分析装置を用いて複数のサンプルを様々な条件でまとめて自動分析する、いわゆるバッチ分析が行われている。バッチ分析では、サンプルまたは分析条件が異なる複数の分析の結果が一度にまとまって得られるため、分析データの管理を支援する装置が不可欠である。このような装置の例として、特開2004-28864号公報（特許文献１）に記載のものがある。
【０００３】
バッチ分析では、一連の分析の終了後に、全てのサンプルの分析結果が正しく得られたかどうかを確認する必要がある。従来、この作業は、分析用アプリケーションを用いて、分析結果データをＰＤＦ（Portable Document Format）形式のファイルに出力するとともに、クロマトグラムやスペクトルの波形イメージをプリンタで出力し、各分析の結果を目視確認する、という手順で行っていた。そして、異常な分析結果が見つかった場合は、その分析を特定してその分析結果データおよび分析設定データをアプリケーションに読み込み、分析設定等を変更した上で、再度分析を行っていた。
【０００４】
【特許文献１】特開2004-28864号公報
【発明の開示】
【発明が解決しようとする課題】
【０００５】
上記従来の方法には、以下のような問題がある。
・アプリケーションを用いて複数のサンプルの分析結果データを１サンプル分ずつ読み出し、画面に表示したりプリンタで出力して確認するため、作業効率が非常に悪い。
・分析結果をプリンタで出力した場合、プリンタの紙詰まりやインク切れ、用紙切れといったトラブルが発生することがあり、その対処に手間がかかる。
・プリンタは通常複数のユーザにより共用されるため、複数ユーザの出力用紙がプリンタのトレー上で混ざることがあり、それをユーザ別に仕分けるのに手間がかかる。
・異常な分析結果が見つかった場合、その分析のデータが保存されたファイルを探し出し、分析設定等を変更する必要があるが、多数のファイルの中から目的のファイルを探し出すために手間がかかる。
【０００６】
本発明は以上のような問題を解決するために成されたものであり、その目的は、バッチ処理等により得られた多数の分析結果の確認作業を効率よく行うことができる分析データ管理システム及びそのためのプログラムを提供することにある。
【課題を解決するための手段】
【０００７】
上記課題を解決するために成された本発明に係る分析データ管理装置は、
画像表示の可能な表示部、
波形データを含む分析結果データを保存するための分析情報保存部、
各分析結果データに含まれる波形データから波形画像を生成するための波形画像生成部、及び、
所定の条件を満たす分析結果データに対応する波形画像の一覧を作成し、前記表示部に表示する波形一覧作成部
を備えることを特徴としている。
【０００８】
また、本発明に係る分析データ管理プログラムは、画像表示の可能な表示部を備えるコンピュータを上記分析データ管理装置として動作させることを特徴としている。
【０００９】
本発明では、波形データを含む分析結果データが分析情報保存部に保存される。ここで、波形データとは、クロマトグラムやスペクトル等の波形を画像として表示する際に用いられるデータのことをいう。例えば、以下のようなデータが波形データに該当する。
・分析結果を示す波形グラフの縮小画像（サムネイル）を示すビットマップデータ。
・分析結果を示す波形グラフを描画するためのベクトルデータ。全ての測定点の座標データを含めてもよいし、波形を概略的に再現するために必要な特徴点の座標データのみ含めるようにしてもよい。
【００１０】
上記波形データの他、分析情報保存部には、例えば、分析日、分析者名、バッチ処理識別番号、分析で使用したサンプル種別、分析で得られた生データ等、分析結果に関する各種データが保存される。
【００１１】
波形画像生成部は、各分析結果データの波形データから一覧表示用の波形画像を作成する。波形画像は、各サンプルの分析が終了する度に、あるいは一連のバッチ処理の終了後に作成し、該分析結果データの一部として分析情報保存部に保存してもよいし、波形画像の一覧表示時に波形データから動的に波形画像を生成してもよい。
【００１２】
波形一覧作成部は、所定の条件を満たす分析結果データに対応する波形画像の一覧を作成し、表示部に表示する。前記所定の条件は、例えば、分析者名、バッチ処理識別番号、分析日、サンプル種別等の項目により定義される。一覧に表示する波形画像は、例えば、予め波形画像生成部により生成され、分析情報保存部に保存されたものの中から、必要な波形画像を一覧の作成時に読み出す。あるいは、一覧の作成時に、必要な波形画像を波形画像生成部で動的に生成してもよい。
【００１３】
本発明に係る分析データ管理装置の好ましい態様においては、
各分析の分析設定データを保存した分析設定保存部、
前記表示部に一覧表示された波形画像から一又は複数の波形画像をユーザに選択させるための波形画像選択部、及び、
前記一又は複数の波形画像が選択されたときに、選択された波形画像に対応する分析設定データを変更するための画面を表示する分析設定変更部
を設ける。
【００１４】
この分析データ管理装置において、異常のある分析結果が見つかった場合に、ユーザがその結果を示す波形画像を画面上で選択して所定の操作を行うと、該当分析設定データが読み出され、分析設定を変更するための画面が表示される。波形画像の選択は、例えば、波形画像毎に設けられたチェックボックスにチェックを入れることにより行われる。
【発明の効果】
【００１５】
本発明によれば、複数の分析結果を示すクロマトグラムやスペクトルの波形画像が一覧表示されるため、分析結果に異常があるかどうかを一目で確認することができる。また、前記本発明の好ましい態様によれば、異常のある分析結果が見つかった場合に、分析設定を変更して再分析を行う作業が容易になる。
【発明を実施するための最良の形態】
【００１６】
本発明に係る分析データ管理装置の一実施形態の概略構成を図１に示す。本実施形態の分析データ管理装置１（以下、本装置１と呼ぶ）は、マウスやキーボード等から成る入力部１２、ＬＣＤやＣＲＴ等から成る表示部１４、ハードディスク等から成る記憶部１６、及び、プロセッサやメモリ等から成る中央制御部１８を備えるコンピュータ上で所定のプログラムを実行することにより構成されている。記憶部１６には、分析設定保存部１６０、分析結果保存部１６２及び波形データ保存部１６４が設けられている。
【００１７】
中央制御部１８は、前記プログラムによりソフトウェア的に構成された機能部である分析制御部２０、バッチ設定表示部２１、データ管理部２２、波形画像生成部２４、波形一覧作成部２６、を備えている。
【００１８】
以下、本装置１を用いた分析の手順について以下に説明する。なお、以下の説明では分析装置２がクロマトグラフであるものとする。
【００１９】
（ステップＳ１）まず、ユーザがコンピュータ上で分析アプリケーションを起動する。図２に本実施形態の分析アプリケーションのウィンドウを示す。このウィンドウには、ドロップダウンリスト３２、ファイルリスト３４、分析設定一覧リスト３６、メソッド編集ボタン３８、バッチ開始ボタン４０及び中止ボタン４２が備えられている。このウィンドウにおいて、ユーザがドロップダウンリスト３２でいずれかのプロジェクトを選択すると、そのプロジェクトに含まれるバッチ設定ファイルがファイルリスト３４に表示される。ユーザがこのファイルリスト３４でいずれかのバッチ設定ファイルを選択すると、バッチ設定表示部２１がその内容を読み出し、各分析の設定データを分析設定一覧リスト３６に表示する。本実施形態では、バイアル番号、トレイ番号、サンプル名、サンプルＩＤ、サンプルタイプ、解析の種類、データファイル、メソッドファイル名等の情報が分析設定データに含まれている。メソッドファイルの内容は、メソッド編集ボタン３８を押したときに表示される編集画面（図示せず）で編集することができる。
【００２０】
（ステップＳ２）次に、ユーザが画面上のバッチ開始ボタン４０を押すと、分析制御部２０がクロマトグラフ２に最初の分析の分析設定データとともに分析開始命令を送る。この命令を受けたクロマトグラフ２は、設定に従って分析を実行する。なお、分析中に中止ボタン４２が押されると、分析制御部２０がクロマトグラフ２に分析中止命令を送り、分析が中止される。
【００２１】
（ステップＳ３）分析中、分析制御部２０は、クロマトグラフ２の出力信号を逐次受け取り、その信号から分析生データを抽出してデータ管理部２２に渡す。データ管理部２２は、受け取った分析生データを前記分析設定データにより指定されたデータファイルに保存する。
【００２２】
（ステップＳ４）１回の分析が終了したら、データ管理部２２は、分析日、分析者名、サンプル名、分析設定ファイル名等の情報を前記データファイルと関連づけて分析結果保存部１６２に保存する。また、波形画像生成部２４が、前記分析生データからクロマトグラムの波形画像（ビットマップ画像）を生成し、データ管理部２２に渡す。データ管理部２２は、その波形画像を前記分析結果データと関連づけて波形データ保存部１６４に保存する。
【００２３】
（ステップＳ５）次に、分析制御部２０が、バッチ処理に含まれる全ての分析が終了したかどうかを調べ、全ての分析が終了していなければ、次の分析の分析設定データと分析開始命令をクロマトグラフ２に送る。そして、上記ステップＳ３及びＳ４の処理が再度実行される。
【００２４】
（ステップＳ６）バッチ処理に含まれる全ての分析が終了したら、波形一覧作成部２６が波形画像の一覧を作成し、表示部の画面に表示する。図３の上段に波形画像一覧の例を示す。ユーザは、この波形画像一覧上に異常な波形（例えば、ピークが正しく現れていない波形）がないか目視確認する。異常な波形が見つからなければ、全ての分析が完了したことになるから、分析結果をプリンタで出力する等、必要な後処理を行うことができる。
【００２５】
（ステップＳ７）直前のステップで異常な波形が見つかったら、その波形画像に対応するチェックボックス４４をオンにする。図３では、サンプルＩＤが１００１及び１００４の２つの波形画像がチェックされている。このようにした後、ユーザが再設定ボタン（図示せず）を押すと、バッチ設定表示部２１が、チェックされた波形画像に対応する分析設定データをバッチ設定ファイルから読み出し、画面に一覧表示する（図３の下段）。この画面で分析設定やメソッドの内容を適宜変更した後、バッチ開始ボタン４０を押すと、波形に異常があった分析だけを対象とするバッチ処理がステップＳ２〜Ｓ５の手順で実行される。
【００２６】
以上、本発明に係る分析データ管理装置の一実施形態について説明したが、実施形態は上記のものに限られない。以下に変形例を挙げる。
【００２７】
（変形例１）上記実施形態では、１回の分析が終了する度に波形画像生成部２４がビットマップ画像を生成し、データ管理部２２を通じて波形データ保存部１６４に保存するようにしたが、ビットマップ画像の代わりに、波形を描画するためのベクトルデータを生成して波形データ保存部１６４に保存するようにしてもよい。また、コンピュータの処理能力が高ければ、波形画像生成部２４により分析生データから直接波形画像を生成することも可能である。この場合、波形データ保存部１６４は不要になる。
【００２８】
（変形例２）上記実施形態では、バッチ処理により複数の分析を行うことにより複数の分析結果が得られるものとしたが、バッチ分析ではなく、複数回のシングル分析で得られた複数の分析結果データを１つのプロジェクトにまとめて分析結果保存部１６０に保存し、その中から、分析者や分析日等に関する条件を満たす分析結果データを検索して一覧表示するようにすることも可能である。
【００２９】
（変形例３）上記実施形態では、図３の下段に示したように、波形に異常のあった分析の設定データだけを一覧表示するようにしたが、図２に示したようにバッチ処理に含まれる全分析の設定データを一覧表示した上で、異常のあった分析に対応する行だけをハイライト表示するようにしてもよい。
【００３０】
上記の他にも、本発明の精神及び範囲内で様々な実施形態が考えられる。
【図面の簡単な説明】
【００３１】
【図１】本発明に係る分析データ管理装置の一実施形態の概略構成図。
【図２】分析アプリケーションのウィンドウを示す図。
【図３】（上段）波形画像一覧の例、（下段）チェックされた波形画像に対応する分析設定データの一覧。
【符号の説明】
【００３２】
１…分析データ管理装置
２…分析装置
１２…入力部
１４…表示部
１６…記憶部
１６０…分析設定保存部
１６２…分析結果保存部
１６４…波形データ保存部
１８…中央制御部
２０…分析制御部
２１…バッチ設定表示部
２２…データ管理部
２４…波形画像生成部
２６…波形一覧生成部
【図１】
2006153628.tif 000003
【図２】
2006153628.tif 000004
【図３】
2006153628.tif 000005